【事件の表示】
　特願２００８−１１２９１９「画像形成装置」拒絶査定不服審判事件〔平成２０年１０月　２日出願公開、特開２００８−２３６７８２〕について、次のとおり審決する。
【結　論】
　本件審判の請求は、成り立たない。
【理　由】
１．手続の経緯
　本願は、平成１２年１２月２８日に出願した特願２０００−３９９６４７の一部を平成１７年４月８日に新たに出願した特願２００５−１１２９０６の一部を、更に平成１９年１１月２日に新たに出願した特願２００７−２８６６４４の一部を、更に平成２０年４月２３日に新たに特許出願したものであって、平成２０年８月２５日付けで拒絶査定がされ、これに対し、平成２０年９月１１日に拒絶査定不服審判の請求がなされたものである。
　
２．本願発明
　本願の請求項１に係る発明（以下、「本願発明」という。）は、平成２０年７月２６日付け手続補正書における手続補正により補正された特許請求の範囲の請求項１に記載された、次のとおりのものである。
　
　「【請求項１】
　読取られた画像データを出力する画像形成装置であって、
　前記画像データが白黒のみの画像データすなわち黒単色のモノクロ画像データであるか、白黒以外のカラーを含む画像データであるかを、ユーザーからの操作パネルによる手動設定に基づき判別する画像判別回路と、
　前記操作パネルによる手動設定に基づき前記画像判別回路が前記画像データを白黒以外のカラーを含む画像データであると判別している場合には、カラーデータを第１の単色モードにて出力し、白黒データを第２の単色モードにて出力するよう、第１の単色カラーと第２の単色カラーとからなる２色画像データを生成し、前記ユーザーの選択により決定される単色カラー分のトナーを除いて出力する出力制御手段と
を備えることを特徴とする画像形成装置。」
　
３．刊行物の記載事項
　原査定の拒絶の理由に引用された、本願出願前に頒布された刊行物である特開平９−１３０６２３号公報（以下、「刊行物１」という。）には、図面とともに以下の技術事項が記載されている。
　
（１）「【０００１】
　　【発明の属する技術分野】
　本発明は，所定の色で構成された複製画を出力するカラー複写機に関し，特に，より優れた操作性で良好な画像を得ることのできるカラー複写機に関する。」
　
（２）「【０００８】
　本発明は，上記従来の問題点に鑑みてなされたものであって，所定の色で構成された複製画を出力するカラー複写機において，良好な画像を得ることのできるカラー複写機を提供することを目的としている。
　　　【０００９】
　また本発明の他の目的は，所定の色で構成された複製画を出力するカラー複写機の操作性を向上することである。」
　
（３）「【００１５】
〔本発明のカラー複写機の概要〕
　本発明の請求項１に係るカラー複写機では，図１及び図２に示す如く，画像読取手段１０１によって，原稿１０３を複数の色成分に分解して読み取り，画像信号として出力し，画像処理手段１１１では，画像読取手段１０１が出力する画像信号に所定の処理を施した後，該画像信号の示す色が有彩の場合と無彩の場合とに応じて，それぞれを所定の色に記録すべく該画像信号を変換し，記録手段１０２によって，画像処理手段１１１により変換された画像信号に基づいて複製画像を出力するようにしている。
　　　【００１６】
　これにより，誤判定や原稿の色による判定のばらつきが少なく，且つ，黒等が不必要に混在することが少なく，更に良好な画像を得ることが可能な，所定の色で構成された複製画を出力するカラー複写機を実現することができる。」
　
（４）「【００１９】
　また，請求項３に係るカラー複写機では，図２に示す如く，色指定手段２０１によって，記録すべき色を指定することとし，画像処理手段１１１では，色指定手段２０１で指定された色を，前記所定の色の１つとして画像信号の変換を行い，記録手段１０２により，該変換された画像信号に基づいて複製画像を出力するようにしている。これにより，色の指定が簡単となり，良好な画像を得ることの可能な，所定の色で構成された複製画を出力するカラー複写機の操作性を向上させることができる。」
　
（５）「【００２０】
　更に，請求項４に係るカラー複写機では，図２に示す如く，画像処理手段１１１の色補正手段２１４によって，無彩色軸を中心として放射状に広がる平面で色空間を分割し，前記画像信号が該分割された空間のどこに属するかを判定し，各空間毎に所定のマスキング係数を用いて色補正を行うようにしている。
　　　【００２１】
　これにより，例えば，原稿の無彩部分をそのままの色で再現し，原稿の持つ色の鮮やかさが増すに従って指定された色の混合比が増すような２色カラーモードの処理や，原稿の色が無彩に近い色の場合はブラックトナーのみで記録し，比較的彩度の高い色の場合は指定された色で記録するような２色カラーモードの処理を，特殊なハードウェアを追加することなく，マスキング係数を求めて設定するだけで実現できる。」
　
（６）「【００２３】
　図１を参照すると，本実施例のカラー複写機の機構部は，主に，原稿を読み取るスキャナユニット１０１と，記録紙に画像を記録するプリンタユニット１０２とを含んでいる。」
　
（７）「【００２４】
　先ず，スキャナユニット１０１に注目すると，原稿１０３はプラテン１０４上の所定の位置に置かれ，ハロゲンランプ１０５ａ及び１０５ｂにより照明されている。原稿１０３からの反射光は，第１ミラー１０６，第２ミラー１０７，第３ミラー１０８及びレンズ１０９を経てカラーラインイメージセンサであるＣＣＤ１１０に結像され，ＣＣＤ１１０により画像信号に光電変換される。ここで，ハロゲンランプ１０５ａ及び１０５ｂ並びに第１ミラー１０６は図示しない第１キャリッジに，第２ミラー１０７及び第３ミラー１０８は図示しない第２キャリッジにそれぞれ搭載されており，原稿１０３読み取り時には，図示しないキャリッジ駆動モータにより第１キャリッジ及び第２キャリッジが２：１の速度比で左から右へ移動する。これにより，プラテン１０４上に置かれた原稿１０３の全面が走査される。
　　　【００２５】
　ＣＣＤ１１０で光電変換された画像信号は，画像処理ユニット１１１等で各種処理を施された後，プリンタユニット１０２の図示しないＬＤ（レーザ・ダイオード）に入力され，ここでレーザ光に変換される。」
　
（８）「【００２６】
　次に，プリンタユニット１０２に注目すると，ＬＤから出射されたレーザ光は，ポリゴンミラー１１２で反射され，ｆθレンズ１１３及び第４ミラー１１４を経て，反時計方向に回転している感光体ドラム１１５上に結像照射される。ここで，ポリゴンミラー１１２はポリゴンモータ１１６の回転軸に固着されており，ポリゴンモータ１１６は一定速度で回転してポリゴンミラー１１２を回転駆動している。また，ポリゴンミラー１１２の回転により，上述のレーザ光は感光体ドラム１１５の回転移動方向と垂直な方向，即ちドラム軸に沿う方向に走査される。
　　　【００２７】
　感光体ドラム１１５の表面は，図示しない高圧発生装置に接続された帯電チャージャ１１７により，予め一様な負電位に帯電されている。また，レーザ光が感光体ドラム１１５に照射されると，光導電現象で表面の電荷がドラム本体の機器アースに流れて消滅する。ここで，原稿濃度の淡い部分はＬＤを強く点灯し，原稿濃度の濃い部分はＬＤを弱く点灯する。これにより感光体ドラム１１５の表面には，ポリゴンミラー１１２による主走査と感光体ドラム１１５の回転による副走査とで，原稿の濃淡に応じた静電潜像が形成される。
　　　【００２８】
　現像ユニット１１８は，ブラック，シアン，マゼンタ及びイエローの負帯電したトナーをそれぞれ収容する現像部Ｋ，Ｃ，Ｍ及びＹを有しており，何れか１つの現像部が選択されている。選択された現像部は，図示しない高圧発生装置により所定の負電位にバイアスされ，上記静電潜像を現像して，原稿の濃淡に応じたトナー像を感光体ドラム１１５の表面に形成する。
　　　【００２９】
　転写ベルト１１９は，図示しない高圧発生装置により所定の正電位にバイアスされており，感光体ドラム１１５と同速度で時計方向に回転している。また上記トナー像は，感光体ドラム１１５と転写ベルト１１９が接近する間に，バイアスの作用により引き寄せられて転写ベルト１１９の表面に転写される。
　　　【００３０】
　ここで，原稿１０３の読み取り，静電潜像の形成，トナー像の転写動作は，必要な回数繰り返される。即ち，フルカラーモードの場合は４回行われ，それぞれＫ，Ｃ，Ｍ及びＹの順で現像部が選択され，形成されたトナー像は位置合わせをした上で，転写ベルト１１９の表面で重ね合わされる。またブラック，シアン，マゼンタ及びイエローの各モードの場合は１回だけ行われ，それぞれ現像部Ｋ，Ｃ，Ｍ及びＹが選択される。また，レッド，グリーン及びブルーの各モードの場合は２回だけ行われ，それぞれＭとＹ，ＣとＹ及びＣとＭの順で現像部が選択される。また，原稿色，登録色及び２色モードの場合は，指定された色に応じて必要となる回数の動作と呼応する現像部の選択が行われる。
　　　【００３１】
　一方，給紙カセット１２０ａ及び１２０ｂにはそれぞれ記録紙１２１ａ及び１２１ｂが収納されており，どちらかの給紙カセット１２０ａまたは１２０ｂが選択されている。選択されている給紙カセット１２０ａまたは１２０ｂ，例えば給紙カセット１２０ａの記録紙１２１ａは，給紙コロ１２２ａの給紙動作により繰り出され，レジストローラ１２３ａ及び１２３ｂに到達する。レジストローラ１２３ａ及び１２３ｂは初め停止しており，回転する転写ベルト１１９上のトナー像の位置に応じて所定のタイミングで回転を開始し，記録紙１２１ａを送り出す。
　　　【００３２】
　転写チャージャ１２４は図示しない正電圧の高圧発生装置に接続されており，転写ベルト１１９上のトナー像は，転写チャージャ１２４の作用により，送り出された記録紙１２１ａに再転写される。尚，記録紙１２１ａにトナー像を再転写する時は，転写ベルト１１９のバイアスを解除して，再転写を促進している。
　　　【００３３】
　トナー像が再転写された記録紙１２１ａは，熱定着ユニット１２５ａ及び１２５ｂに送られ，そこでトナー像が記録紙１２１ａに固着され，機外に排出される。」
　
（９）「【００３５】
　次に図２を参照すると，本実施例のカラー複写機の電装部は，主に，上述したスキャナユニット１０１，画像処理ユニット１１１，プリンタユニット１０２，処理モード選択等の入力の検出及び表示を行う操作表示ユニット２０１，並びに，これら各ユニットの制御回路と通信を行いカラー複写機２０２の全体の動作を制御するシステム制御ユニット２０３を含んでいる。尚，本実施例のカラー複写機２０２は，ＬＡＮ（ローカル・エリア・ネットワーク）接続装置２０４と接続されており，ＬＡＮ２０５に接続されたワークステーション２０６やパーソナルコンピュータ２０７等の他の機器と，ＬＡＮ接続装置２０４を介して画像信号の入出力を行なう。」
　
（１０）「【００３６】
　先ず，スキャナユニット１０１に注目すると，上述のＣＣＤ１１０は入射光をＲＧＢ（赤緑青）の３色に色分解した後，光電変換して，３種類のアナログ画像信号をＡ／Ｄ変換回路２０８に出力する。Ａ／Ｄ変換回路２０８では，入力された画像信号をそれぞれデジタル信号に変換すると共に，上述のハロゲンランプ１０５ａ及び１０５ｂの原稿照明むら，ＣＣＤ１１０内部の受光素子の感度むら，並びに，暗電位に対する補正等の処理も行なう。
　　　【００３７】
　またスキャナ制御回路２０９では，システム制御ユニット２０３と通信を行なうと共に，スキャナユニット１０１全体を制御している。例えば，Ａ／Ｄ変換回路２０８の動作制御，ハロゲンランプ１０５ａ及び１０５ｂの点灯制御，並びに，キャリッジ駆動モータ２１０の回転制御等を行なう。また原稿サイズセンサ２１１は，プラテン１０４に置かれた原稿１０３の大きさを検出するセンサであって，その検出結果をスキャナ制御回路２０９に出力している。」
　
（１１）「【００３８】
　一方，Ａ／Ｄ変換回路２０８で変換された画像信号は，画像処理ユニット１１１のγ変換回路２１２に入力される。次に，画像処理ユニット１１１について説明する。
　　　【００３９】
　γ変換回路２１２は，ＬＡＮ接続装置２０４にも接続されており，Ａ／Ｄ変換回路２０８またはＬＡＮ接続装置２０４から入力される画像信号を濃度等に比例した画像信号に階調変換し，像域分離回路２１３及び色補正回路２１４に出力する。また設定によっては，γ変換回路２１２は，Ａ／Ｄ変換回路２０８から入力された画像信号を階調変換してＬＡＮ接続装置２０４に出力することもある。
　　　【００４０】
　像域分離回路２１３は，入力された画像信号に基づいて，処理を行なっている画像部分が文字等の線画か否か，白黒画像かカラー画像かを判定する回路であって，その結果を示す判定信号を色補正回路２１４に出力する。
　　　【００４１】
　また領域制御回路２１５は，画像の部分領域毎に異なる画像処理を施すための切り換え信号を発生する回路であって，その切り換え信号を色補正回路２１４に出力する。
　　　【００４２】
　色補正回路２１４では，γ変換回路２１２からの画像信号を，上述の如く選択される現像部に応じたトナーの記録量に変換する色補正処理を行なうと共に，エッジ強調や平滑化等の２次元フィルタ処理等も行なう。ここで，これらの処理は，上記判定信号や切り換え信号により制御されている。
　　　【００４３】
　例えば，判定信号が線画であればエッジ強調気味のフィルタ処理を行い，また非線画であれば平滑化気味のフィルタ処理を行なう。また，切り換え信号により，判定信号の意味するところに拘らず所定のフィルタ処理を行うこともある。色補正処理も同様で，例えば，切り換え信号に応じてフルカラーモードやブラックモードに適したトナー記録量に変換したり，またフルカラーモードにおいて，判定信号が線画で且つ白黒画像であればＵＣＲ（下色除去；Under Color Removal）率を１００［％］に，非線画またはカラー画像であればＵＣＲ率を７０［％］にする変換を行うこともある。
　　　【００４４】
　色補正回路２１４からは，トナー記録量に変換された１種類の画像信号，判定信号及び切り換え信号が出力され，変倍回路２１６に入力される。
　　　【００４５】
　変倍回路２１６では，色補正回路２１４からの３種の信号を主走査方向に拡大／縮小する変倍処理を行うと共に，温湿度等で変動するプリンタユニット１０２の記録特性（画像信号対トナー記録量特性）を補正するγ補正処理や，主走査方向の１または数画素と副走査方向の１または数画素とを１単位とし，解像度または階調性を重視した階調表現をする階調処理等を行なう。
　　　【００４６】
　ここでγ補正処理及び階調処理は，上記判定信号や切り換え信号により制御されており，例えば，判定信号が線画であれば解像度を重視した階調処理を行い，非線画であれば階調性を重視した階調処理を行なう。また階調処理の種類によって上述の記録特性が変化するため，階調処理に連動して異なるγ補正処理も行なう。更に切り換え信号により，判定信号の意味するところに拘らず所定の階調処理またはγ補正処理を行なうこともある。
　　　【００４７】
　尚，原稿１０３の副走査方向を拡大／縮小する変倍処理は，上述のキャリッジ駆動モータ２１０の回転制御により行なっている。また，変倍回路２１６はＬＡＮ接続装置２０４にも接続されており，上記処理が施された画像信号またはＬＡＮ接続装置２０４から入力される画像信号を，切り換え信号と共にイレース回路２１７に出力する。尚，設定によって変倍回路２１６は，上記処理が施された画像信号をＬＡＮ接続装置２０４に出力することもある。
　　　【００４８】
　イレース回路２１７では，入力された切り換え信号と設定に応じて，入力された画像信号を固定の信号値（例えば最もトナーを付着させない値）に置き換える。これは，上述の原稿サイズセンサ２１１で検出された原稿１０３の大きさや，選択された給紙カセット１２０ａ及び１２０ｂに収納された記録紙１２１ａ及び１２１ｂの大きさに応じて，不要な画像が記録されないようにするために行なうものである。
　　　【００４９】
　また画像処理制御回路２１８では，システム制御ユニット２０３と通信を行なうと共に，システム制御ユニット２０３からの要求に応じて，上述したγ変換回路２１２，像域分離回路２１３，色補正回路２１４，領域制御回路２１５，変倍回路２１６及びイレース回路２１７の設定等を行ない，画像処理ユニット１１１全体を制御している。」
　
（１２）「【００５０】
　一方，イレース回路２１７から出力された画像信号は，プリンタユニット１０２のＬＤ駆動回路２１９に入力される。次に，プリンタユニット１０２について説明する。
　　　【００５１】
　先ずＬＤ駆動回路２１９では，入力された画像信号に応じてパルス幅変調やパワー変調等を行なってＬＤ（レーザ・ダイオード）２２０を駆動し，これによってＬＤ２２０の点灯強度を調整している。
　　　【００５２】
　またプリンタ制御回路２２１では，システム制御ユニット２０３と通信を行なうと共に，プリンタユニット１０２全体を制御している。例えばＬＤ駆動回路２１９を制御してＬＤ２２０を強制消灯したり，ポリゴンモータ１１６，感光体ドラム１１５を回転駆動するドラム駆動モータ２２２及び転写ベルト１１９を回転駆動するベルト駆動モータ２２３等の回転制御，また現像ユニット１１８の現像部Ｋ，Ｃ，Ｍ及びＹの選択制御，高圧電源２２４の各負荷（例えば帯電チャージャ，現像部，転写ベルト１１９，転写チャージャ１２４等）毎の出力制御，更に熱定着ユニット１２５の温度制御等々を行なう。尚，プリンタユニット１０２は，上述の給紙カセット１２０ａ及び１２０ｂ毎に，収納された記録紙１２１ａ及び１２１ｂの大きさを検出する図示しない紙サイズセンサを有しており，その検出結果はプリンタ制御回路２２１に出力されている。」
　
（１３）「【００５３】
　最後に操作表示ユニット２０１について説明する。操作表示ユニット２０１は，原稿１０３上の所定の範囲・位置等を入力するためのデジタイザ２２５，各種モードの選択肢や設定状態等を表示する表示部と該表示部の押下位置を検出する検出部が一体となったＴＰＤ（タッチ・パネル・ディスプレイ）２２６，コピー枚数やコピー開始等を入力するためのキーボード２２７，並びに，操作表示制御回路２２８から構成されている。
　　　【００５４】
　操作表示制御回路２２８では，ＴＰＤ２２６に各モードの選択肢等を表示してキー入力等を促したり，デジタイザ２２５，ＴＰＤ２２６及びキーボード２２７からの入力を検出して，ＴＰＤ２２６に設定された状態を表示すると共に，システム制御ユニット２０３と通信を行なって入力結果を送信する等の動作を行なっている。」
　
（１４）「【００５５】
　次に，ＴＰＤ２２６における表示画面例を図３に示し，本実施例のカラー複写機における全体的な制御の流れを図３に基づいて説明する。」
　
（１５）「【００５８】
　また表示部分「カラー選択」はカラーモード選択画面呼び出し用の領域であり，操作者がこの表示部分を押下すると，操作表示制御回路２２８は該操作を検出して，図３（ｃ）に示すようなカラーモード選択画面を表示する。これによって操作者はフルカラーモードをはじめとする各種カラーモードの選択が可能になる。例えば，図３（ｃ）に示す状態で操作者が表示部分「ブラック」を押下すると，操作表示制御回路２２８は該操作を検出して，図３（ｄ）に示すような画面を表示し，ブラックモード選択が認識されたことを操作者に伝える。
　　　【００５９】
　また操作表示制御回路２２８では，これを受けて画像処理制御回路２１８にブラックモード用の設定を要求する。システム制御ユニット２０３はこれを受けて画像処理制御回路２１８にブラックモード用の設定を要求し，画像処理制御回路２１８は該設定要求を受けて領域制御回路２１５及び色補正回路２１４等の設定を行なう。例えば，色補正回路２１４がブラックモードに適したトナー記録量に変換する色補正処理を行なうように設定される。
　　　【００６０】
　更にシステム制御ユニット２０３では，プリンタ制御回路２２１等にもブラックモード用の動作制御を要求する。プリンタ制御回路２２１では，該動作制御要求を受けて，実際の複写動作に際して，現像部Ｋの選択や，原稿の読み取り，静電潜像の形成，トナー像の形成及びトナー像の転写動作を１回行なったら，転写ベルト１１９上のトナー像を記録紙に再転写させる等の動作制御を行なう。
　　　【００６１】
　次に，２色カラーモードが選択される場合の制御の流れを説明する。図３（ｃ）に例示したようなカラーモード選択画面の表示状態において，操作者が表示部分「２色カラー」を押下すると，操作表示制御回路２２８は，該操作を検出して図４（ａ）に示すような画面を表示し，レッドの２色カラーモード選択が認識されたことを操作者に伝える。
　　　【００６２】
　また操作表示制御回路２２８では，システム制御ユニット２０３にレッドの２色カラーモード用の設定を要求する。システム制御ユニット２０３はこれを受けて画像処理制御回路２１８にレッドの２色カラーモード用の設定を要求し，画像処理制御回路２１８は該設定要求を受けて領域制御回路２１５及び色補正回路２１４等の設定を行なう。例えば，色補正回路２１４がレッドの２色カラーモードに適したトナー記録量に変換する色補正処理を行なうように設定される。
　　　【００６３】
　またシステム制御ユニット２０３は，プリンタ制御回路２２１等にもレッドの２色カラーモード用の動作制御を要求する。プリンタ制御回路２２１では，該動作制御要求を受けて，実際の複写動作に際して，Ｋ，Ｍ，Ｙの順に現像部を選択すると共に，原稿の読み取り，静電潜像の形成，トナー像の形成及びトナー像の転写動作を３回行なった後，転写ベルト１１９上のトナー像を記録紙に再転写させる等の動作制御を行なう。
　　　【００６４】
　尚，２色カラーモードの中ではレッドが使用される割合が高いため，本実施例ではレッドがデフォルトで選択されるが，他の色の２色カラーモードも選択できる。即ち，図４（ａ）に示すような表示状態で，操作者が表示部分「色変更」を押下すると，操作表示制御回路２２８はこの操作を検出して，図４（ｂ）に示すような２色カラーモード色指定画面を表示する。これによって操作者は２色カラーモードにおける色指定が可能になる。例えば，図４（ｂ）に示す状態で操作者が表示部分「シアン」を押下すると，操作表示制御回路２２８はこの操作を検出して，図４（ｃ）に示すような画面を表示し，シアンの２色カラーモード選択が認識されたことを操作者に伝える。
　　　【００６５】
　また操作表示制御回路２２８は，システム制御ユニット２０３にシアンの２色カラーモード用の設定を要求する。システム制御ユニット２０３はこれを受けて画像処理制御回路２１８にシアンの２色カラーモード用の設定を要求し，画像処理制御回路２１８は該設定要求を受けて領域制御回路２１５及び色補正回路２１４等の設定を行なう。例えば，色補正回路２１４がシアンの２色カラーモードに適したトナー記録量に変換する色補正処理を行なうように設定される。
　　　【００６６】
　またシステム制御ユニット２０３は，プリンタ制御回路２２１等にもシアンの２色カラーモード用の動作制御を要求する。プリンタ制御回路２２１では，該動作制御要求を受けて，実際の複写動作に際して，Ｋ，Ｃの順に現像部を選択すると共に，原稿の読み取り，静電潜像の形成，トナー像の形成及びトナー像の転写動作を２回行なった後，転写ベルト１１９上のトナー像を記録紙に再転写させる等の動作制御を行なう。
　　　【００６７】
　また図４（ｂ）において，表示部分「登録色１」〜「登録色３」は，登録色１から登録色３（それぞれ現像部Ｃ，Ｍ，Ｙ及びＫの各記録値の組合せで，予め登録してある色）の２色カラーモードを選択する場合に押下され，表示部分「原稿色」は，原稿上の色を使って，２色カラーモードにおいて使用する色の指定を行う場合に押下される。例えば後者の場合，ＴＰＤ２２６に表示される手順に従って，色読み取り用原稿の所望する色のある位置を操作者がデジタイザ２２５で入力することになる。
　　　【００６８】
　この場合，システム制御ユニット２０３は，プラテン１０４上に置かれた色読み取り用原稿をスキャナ制御回路２０９に読み取らせると共に，画像処理制御回路２１８にデジタイザ２２５で入力された位置の画像信号をサンプリングさせる。更に，サンプリングした画像信号を元に最適な現像部Ｃ，Ｍ，Ｙ及びＫの記録値の組合せを画像処理制御回路２１８に決定させる。
　　　【００６９】
　このようにして決められた現像部Ｃ，Ｍ，Ｙ及びＫの記録値の組合せは，２色カラーモード用の設定要求と共に，システム制御ユニット２０３から画像処理制御回路２１８に送られる。画像処理制御回路２１８では，該設定要求を受けて領域制御回路２１５及び色補正回路２１４等の設定を行なう。つまり，色補正回路２１４が決められた現像部Ｃ，Ｍ，Ｙ及びＫの記録値の組合せの２色カラーモードに適したトナー記録量に変換する色補正処理を行なうように設定される。
　　　【００７０】
　またシステム制御ユニット２０３は，プリンタ制御回路２２１等にも決められた現像部Ｃ，Ｍ，Ｙ及びＫの記録値の組合せの２色カラーモードの動作制御を要求する。プリンタ制御回路２２１では，該動作制御要求を受けて，実際の複写動作に際して，現像部Ｋ，Ｃ，Ｍ，Ｙの順に現像部を選択すると共に（但し，記録値が”０”の場合は省略），原稿の読み取り，静電潜像の形成，トナー像の形成及びトナー像の転写動作を必要な回数行なった後，転写ベルト１１９上のトナー像を記録紙に再転写させる等の動作制御を行なう。
　　　【００７１】
　再度，図４（ｃ）を参照すると，この状態で操作者が図示しないキーボード２２７のコピー開始用のキーを押下すると，操作表示制御回路２２８はこの操作を検出して，システム制御ユニット２０３にコピー動作の開始を要求する。システム制御ユニット２０３では，該動作開始要求を受けて，スキャナ制御回路２０９やプリンタ制御回路２２１等の制御回路にコピー動作の開始を要求する。更に各ユニットの制御回路では，該動作開始要求を受けて各ユニットを制御し，上述のようなコピー動作を行なって，所望の色の２色カラーコピーを排出する。
　　　【００７２】
　また，図４（ｃ）のような表示状態において，操作者が表示部分「カラー選択」を押下すると，再度，図３（ｃ）に類似した画面が表示されるので，操作者は，表示部分「２色カラー」以外の表示部分を押下することで，２色カラーモードの選択を解除することができる。
　　　【００７３】
　以上のように，本実施例のカラー複写機では，カラーモード選択画面において，表示部分「２色カラー」を押下するだけで２色カラーモードの設定が行なえるので，２色コピーの操作が極めて容易になっている。また，本実施例では，２色カラーモード色指定画面において，所望の色の表示部分を押下するだけで２色カラーコピーモードの色設定が行なえるので，２色コピーの色指定操作も容易になっている。」
　
（１６）「【００８４】
　また，２色カラーモードにおいて，原稿の色が無彩（白〜灰色〜黒）に近い色の場合はブラックトナーのみで記録し，比較的彩度の高い色の場合は指定された色で記録するような処理を行なっても良い。この場合，黒点の現像部Ｃ，Ｍ及びＹの記録値を以下のように減少させた記録値（例えば，Ｘ２＝０）とし，境界面上の点の現像部Ｃ，Ｍ，Ｙ及びＫの記録値に指定された色の現像部Ｃ，Ｍ，Ｙ及びＫの記録値を用いてマスキング係数を求める。これによって，上述したような処理が実現できる。
　　Ｒ２＝Ｇ２＝Ｂ２＝Ｋ２’＞Ｃ２’＝Ｍ２’＝Ｙ２’＝Ｘ２’」
　
（１７）「【００８６】
　次に，色補正回路２１４の具体的な構成例を図６に示し，色補正回路２１４の動作を詳細に説明する。」
　
（１８）「【００８９】
　係数選択回路６０９は，入力された画像信号６０８ｒ，６０８ｇ及び６０８ｂが，図５（ａ）のような分割された色空間（Ｒ，Ｇ，Ｂ）のどこに属するかを判定し，その判定結果と判定信号６１０及び切り換え信号６１１とに応じて，画像処理制御回路２１８により設定された色（シアン，マゼンタ，イエロー）トナー記録用及びブラックトナー記録用のマスキング係数の１組を選択し，係数信号６１２及び６１３として色変換回路６０６及び６０７に出力する。
　　　【００９０】
　尚，図５（ａ）に示したような境界面を含む平面は一般に次式のように表現されるので，
　　ｒ×Ｒ＋ｇ×Ｇ＋ｂ×Ｂ＝０　（ｒ＋ｇ＋ｂ＝０）
　各境界面毎に，次のような式を演算して，その演算結果の正負等を総合的に評価し，入力さえた画像信号（Ｒ，Ｇ，Ｂ）の所属する空間を判定している。
　　ｆ（Ｒ，Ｇ，Ｂ）＝ｒ×Ｒ＋ｇ×Ｇ＋ｂ×Ｂ
　　　【００９１】
　また，画像処理制御回路２１８は，要求されたカラーモード等に応じて，上述したような演算を行って各空間毎のマスキング係数を求め，設定信号６２０によって係数選択回路６０９に供給している。
　　　【００９２】
　色変換回路６０６及び６０７は，入力された画像信号６０５ｒ，６０５ｇ及び６０５ｂと係数信号６１２及び６１３とに基づいて，次式で表現されるマスキング処理を行なう演算回路で，それぞれ色トナー記録用の画像信号６１４とブラックトナー記録用の画像信号６１５を出力する。尚，実際には下式の演算の他に，結果が負の場合は”０”にする等の処理を行なっている。
　　　Ｘ＝Ａxr×Ｒ＋Ａxg×Ｇ＋Ａxb×Ｂ＋Ａx 
　　　【００９３】
　ＵＣＲ（下色除去）回路６１６は，色トナー記録用の画像信号６１４からブラックトナー記録用の画像信号６１５を減算する回路で，その結果を色トナー記録用の画像信号６１７として出力する。尚，実際には減算の他に，結果が負の場合は”０”にする等の処理を行なっている。
　　　【００９４】
　選択回路６１８は，色変換回路６０７が出力するブラックトナー記録用の画像信号６１５またはＵＣＲ回路６１６が出力する色トナー記録用の画像信号６１７を選択出力する回路で，プリンタユニット１０２において現像部Ｋが選択されている場合はブラックトナー記録用の画像信号６１５が，現像部Ｃ，ＭまたはＹが選択されている場合は色トナー記録用の画像信号６１７を選択して，画像信号６１９として出力する。
　　　【００９５】
　以上のように，本実施例のカラー複写機では，無彩色軸（Ｒ＝Ｇ＝Ｂ）を中心として放射状に広がる平面で色空間（Ｒ，Ｇ，Ｂ）を分割して，入力された画像信号（Ｒ，Ｇ，Ｂ）が分割された空間のどこに属するかを判定し，その後，各空間毎に予め設定したおいたマスキング係数を用いて色補正処理を行なうようにしているので，原稿の無彩（白〜灰色〜黒）部分をそのままの色で再現し，原稿の持つ色の鮮やかさが増すに従って指定された色の混合比が増すような２色カラーモードの処理や，原稿の色が無彩（白〜灰色〜黒）に近い色の場合はブラックトナーのみで記録し，比較的彩度の高い色の場合は指定された色で記録するような２色カラーモードの処理を，特殊なハードウェアを追加することなく，マスキング係数を求めて設定するだけで実現できる。」
　
（１９）「【００９９】
　また，本実施例のカラー複写機では，２色カラーモードが選択された場合の複写動作に際して，選択された色に応じて，プリンタ制御回路２２１等が，原稿の読み取り，静電潜像の形成，トナー像の形成及びトナー像の転写動作を必要な回数行なった後，転写ベルト１１９上のトナー像を記録紙に再転写させる等の制御を行なうので，無駄な動作がなく，最短の時間で２色カラーモードの記録動作を終了することができる。」
　
（２０）「【０１０１】
　　【発明の効果】
　以上説明したように，本発明の請求項１に係るカラー複写機によれば，画像読取手段によって，原稿を複数の色成分に分解して読み取り，画像信号として出力し，画像処理手段では，画像読取手段が出力する画像信号に所定の処理を施した後，該画像信号の示す色が有彩の場合と無彩の場合とに応じて，それぞれを所定の色に記録すべく該画像信号を変換し，記録手段によって，画像処理手段により変換された画像信号に基づいて複製画像を出力することとしたので，誤判定や原稿の色による判定のばらつきが少なく，且つ，黒等が不必要に混在することが少なく，更に良好な画像を得ることが可能な，所定の色で構成された複製画を出力するカラー複写機を提供することができる。」
　
（２１）「【０１０３】
　また，請求項３に係るカラー複写機によれば，色指定手段によって，記録すべき色を指定することとし，画像処理手段では，色指定手段で指定された色を，前記所定の色の１つとして画像信号の変換を行い，記録手段により，該変換された画像信号に基づいて複製画像を出力することとしたので，色の指定が簡単となり，操作性の向上したカラー複写機を提供することができる。」
　
（２２）「【０１０４】
　更に，請求項４に係るカラー複写機によれば，画像処理手段の色補正手段によって，無彩色軸を中心として放射状に広がる平面で色空間を分割し，前記画像信号が該分割された空間のどこに属するかを判定し，各空間毎に所定のマスキング係数を用いて色補正を行うこととしたので，例えば，各種の２色カラーモードの処理を特殊なハードウェアを追加することなく，マスキング係数を求めて設定するだけで実現できる。」
　
　上記（１）ないし（２２）の記載事項及び図面を勘案すると、刊行物１には、次の発明（以下、「引用発明」という。）が記載されていると認められる。
　
「原稿（１０３）を読み取るスキャナユニット（１０１）のＣＣＤ（１１０）で当該原稿（１０３）を光電変換して得られる画像信号をプリンタユニット（１０２）で記録紙（１２１ａ）に記録して機外に排出するカラー複写機であって、
　前記画像信号に基づいて、処理を行っている画像部分が白黒画像かカラー画像かを判定する回路であって、その結果を示す判定信号を色補正回路（２１４）に出力する像域分離回路（２１３）と、
　画像の部分領域毎に異なる画像処理を施すための切り換え信号を発生する回路であって、その切り換え信号を色補正回路（２１４）に出力する領域制御回路（２１５）と、
　前記判定信号や前記切り換え信号により制御されるが、前記判定信号の意味するところに拘わらず、前記切り換え信号に応じて、前記画像信号をＡ／Ｄ変換回路（２０８）でデジタル信号に変換した後、γ変換回路（２１２）において階調変換した画像を、現像ユニット（１１８）において、ブラック，シアン，マゼンタ及びイエローの負帯電したトナーをそれぞれ収容する現像部Ｋ，Ｃ，Ｍ及びＹから選択される現像部に応じたトナーの記録量に変換する色補正処理を行う色補正回路（２１４）と、
　操作表示ユニット（２０１）のＴＰＤ（タッチ・パネル・ディスプレイ）（２２６）に表示されるカラーモード選択画面において、フルカラーモードをはじめとする各種カラーモードから操作者が表示部分「ブラック」や「２色カラー」を押下したことを検出し、これを受けて前記カラー複写機の全体の動作を制御するシステム制御ユニット（２０３）に、それぞれブラックモード用やレッドの２色カラーモード用の設定を要求する操作表示制御回路（２２８）と、
　前記設定要求をシステム制御ユニット（２０３）から受けて、前記領域制御回路（２１５）及び前記色補正回路（２１４）等を設定し、前記色補正回路（２１４）が前記ブラックモードやレッドの２色カラーモードに適したトナー記録量に変換する色補正処理を行うように設定される画像処理制御回路（２１８）と、
　前記操作表示ユニット（２０１）のＴＰＤ（タッチ・パネル・ディスプレイ）（２２６）に表示されるカラーモード選択画面において、操作者が表示部分「２色カラー」を押下した場合、前記色補正回路（２１４）が、原稿色が無彩（白〜灰色〜黒）に近い色の場合はブラックトナーのみで記録し、比較的彩度の高い色の場合は指定された色で記録するような２色カラーモードの処理を行い、
　前記システム制御ユニット（２０３）からレッドの２色カラーモード用の動作制御要求を受け、実際の複写動作に際して、Ｋ，Ｍ，Ｙの順に前記現像部を選択すると共に、原稿の読み取り、静電潜像の形成、トナー像の形成及びトナー像の転写動作を３回行った後、転写ベルト（１１９）上のトナー像を前記記録紙（１２１ａ）に再転写させる等の動作制御を行うプリンタ制御回路（２２１）と
を備えるカラー複写機」
　
４．対比
　本願発明を、引用発明と比較する。
　
（１）引用発明における「原稿（１０３）を読み取るスキャナユニット（１０１）のＣＣＤ（１１０）で当該原稿（１０３）を光電変換して得られる画像信号をプリンタユニット（１０２）で記録紙（１２１ａ）に記録して機外に排出する」ことは、本願発明における「読取られた画像データを出力する」ことに相当することは明らかであるから、引用発明における「原稿（１０３）を読み取るスキャナユニット（１０１）のＣＣＤ（１１０）で当該原稿（１０３）を光電変換して得られる画像信号をプリンタユニット（１０２）で記録紙（１２１ａ）に記録して機外に排出するカラー複写機」は、本願発明における「読取られた画像データを出力する画像形成装置」に相当する。
　
（２）引用発明における「操作者」及び「操作表示ユニット（２０１）のＴＰＤ（タッチ・パネル・ディスプレイ）（２２６）」は、それぞれ本願発明における「ユーザー」及び「操作パネル」に相当することは明らかであるから、引用発明における「操作表示ユニット（２０１）のＴＰＤ（タッチ・パネル・ディスプレイ）（２２６）に表示されるカラーモード選択画面において、フルカラーモードをはじめとする各種カラーモードから操作者が表示部分「ブラック」や「２色カラー」を押下」することは、本願発明における「ユーザーからの操作パネルによる手動設定」に相当し、
　引用発明において「像域分離回路（２１３）」が、「前記画像信号に基づいて、処理を行っている画像部分が白黒画像かカラー画像かを判定」しているが、「色補正回路（２１４）」では、前記「像域分離回路（２１３）」からの前記「判定」の結果を示す「判定信号」の意味するところに拘わらず「領域制御回路（２１５）」からの「画像の部分領域毎に異なる画像処理を施すための切り換え信号」に応じて、「色補正処理」を行い、
　操作表示ユニット（２０１）のＴＰＤ（タッチ・パネル・ディスプレイ）（２２６）に表示されるカラーモード選択画面において、フルカラーモードをはじめとする各種カラーモードから操作者が表示部分「ブラック」や「２色カラー」を押下した場合、「操作表示制御回路（２２８）」が前記カラー複写機の全体の動作を制御する「システム制御ユニット（２０３）」に、それぞれブラックモード用やレッドの２色カラーモード用の設定を要求し、「画像処理制御回路（２１８）」が当該設定要求を前記「システム制御ユニット（２０３）」から受けて、前記「領域制御回路（２１５）」及び前記「色補正回路（２１４）」等を設定し、前記「色補正回路（２１４）」が前記ブラックモードやレッドの２色カラーモードに適したトナー記録量に変換する色補正処理を行うように設定されていることから、
　引用発明には、本願発明における「前記画像データが白黒のみの画像データすなわち黒単色のモノクロ画像データであるか、白黒以外のカラーを含む画像データであるかを、ユーザーからの操作パネルによる手動設定に基づき判別する画像判別回路」に相当する機能を有する構成が存在する。
　
（３）上記４．（２）を考慮すると、引用発明において、「操作表示ユニット（２０１）のＴＰＤ（タッチ・パネル・ディスプレイ）（２２６）に表示されるカラーモード選択画面において、フルカラーモードをはじめとする各種カラーモードから操作者が表示部分「ブラック」」を押下した場合が、本願発明における「前記操作パネルによる手動設定に基づき前記画像判別回路が前記画像データを白黒」の「画像データであると判別している場合」であり、前記「操作表示ユニット（２０１）のＴＰＤ（タッチ・パネル・ディスプレイ）（２２６）に表示されるカラーモード選択画面において、フルカラーモードをはじめとする各種カラーモードから操作者が表示部分「ブラック」」以外の表示部分を押下した場合が、本願発明における「前記操作パネルによる手動設定に基づき前記画像判別回路が前記画像データを白黒以外のカラーを含む画像データであると判別している場合」に相当することは明らかであり、引用発明における「前記操作表示ユニット（２０１）のＴＰＤ（タッチ・パネル・ディスプレイ）（２２６）に表示されるカラーモード選択画面において、操作者が表示部分「２色カラー」を押下した場合」は、前記「操作表示ユニット（２０１）のＴＰＤ（タッチ・パネル・ディスプレイ）（２２６）に表示されるカラーモード選択画面において、フルカラーモードをはじめとする各種カラーモードから操作者が表示部分「ブラック」」以外の表示部分を押下した場合であるから、引用発明における「前記操作表示ユニット（２０１）のＴＰＤ（タッチ・パネル・ディスプレイ）（２２６）に表示されるカラーモード選択画面において、操作者が表示部分「２色カラー」を押下した場合」は、当然、本願発明における「前記操作パネルによる手動設定に基づき前記画像判別回路が前記画像データを白黒以外のカラーを含む画像データであると判別している場合」に相当する。
　
（４）引用発明における「指定された色で記録」及び「ブラックトナーのみで記録」は、それぞれ本願発明における「第１の単色モードにて出力」及び「第２の単色モードにて出力」に相当し、「レッド」がＭ（マゼンタ）とＹ（イエロー）の混色で、Ｋ（Key Tone）が通常「ブラック」であるから、引用発明における「レッドの２色カラーモード」とは、「レッド」と「ブラック」の２色による２色カラーモードであることは明らかであり、前記「指定された色」が「レッド」で「ブラックトナーのみ」が「ブラック」の場合を考えると、引用発明における「前記システム制御ユニット（２０３）からレッドの２色カラーモード用の動作制御要求を受け、実際の複写動作に際して、Ｋ，Ｍ，Ｙの順に前記現像部を選択すると共に、原稿の読み取り、静電潜像の形成、トナー像の形成及びトナー像の転写動作を３回行った後、転写ベルト（１１９）上のトナー像を前記記録紙（１２１ａ）に再転写させる等の動作制御を行うプリンタ制御回路（２２１）」は、本願発明における「第１の単色カラーと第２の単色カラーとからなる２色画像データを生成し、」「出力する出力制御手段」に相当する。
　
　すると、本願発明と、引用発明とは、次の点で一致する。
＜一致点＞
　読取られた画像データを出力する画像形成装置であって、
　前記画像データが白黒のみの画像データすなわち黒単色のモノクロ画像データであるか、白黒以外のカラーを含む画像データであるかを、ユーザーからの操作パネルによる手動設定に基づき判別する画像判別回路と、
　前記操作パネルによる手動設定に基づき前記画像判別回路が前記画像データを白黒以外のカラーを含む画像データであると判別している場合には、第１の単色カラーと第２の単色カラーとからなる２色画像データを生成し、出力する出力制御手段を備える画像形成装置。
　
　一方で、両者は、次の点で相違する。
＜相違点１＞
　本願発明では、「カラーデータ」を第１の単色モードにて出力し、「白黒データ」を第２の単色モードにて出力するのに対し、引用発明では、原稿色が「比較的彩度の高い色」の場合は第１の単色モードにて出力し、「無彩（白〜灰色〜黒）に近い色」の場合は第２の単色モードにて出力する点。
　
＜相違点２＞
　本願発明では、「前記ユーザーの選択により決定される単色カラー分のトナーを除いて」出力するのに対し、引用発明では、ユーザーの選択により決定される対象は、２色カラーモードに使用される色が「レッド」である場合に使用されるＫ，Ｍ，Ｙのトナーであって、除かれる単色カラー分のトナーではない点。
　
５．判断
　上記両相違点について検討する。
　
（１）相違点１について
　ノイズの影響やコスト等を考慮して、多少の幅を設けることは、様々な技術分野における常套技術であり、理想的な（ノイズ等が存在しない）状態でコスト等を考慮する必要がない場合であれば、この多少の幅を設けないようにすることは、当業者が適宜なし得ることであるから、引用発明において、（多少の幅を設けて）原稿色が「比較的彩度の高い色」の場合は第１の単色モードにて出力し、「無彩（白〜灰色〜黒）に近い色」の場合は第２の単色モードにて出力することに代えて、（多少の幅を設けずに）「彩度がある色」の場合は第１の単色モードにて出力し、「無彩色」の場合は第２の単色モードにて出力することは、当業者が適宜なし得ることである。ここで、「彩度がある色」及び「無彩色」が、それぞれ本願発明における「カラーデータ」及び「白黒データ」に相当することは明らかであり、また、引用発明では、色の対象が「原稿色」であるが、これを「読取られた画像データ」の色とすることも、当業者が適宜なし得ることである。
　
（２）相違点２について
　引用発明において、ユーザーが表示部分「２色カラー」を選択することにより２色カラーモードに使用される色として「レッド」を選択した場合、トナーは、Ｋ，Ｍ，Ｙが使用され、Ｃ（シアン）のトナーは使用されないことから、ユーザーの選択の対象が、２色カラーモードに使用される色「レッド」である場合、使用されるトナーＫ，Ｍ，Ｙが決定されると、自動的に除かれる単色カラー分のトナーＣ（シアン）が決定されることとなる。
　すなわち、ユーザーの選択により決定される対象を使用されるトナーとする場合と除かれるトナーとする場合とは、技術的には同様であり、どちらを対象とするかは、当業者が適宜選択し得る設計的事項である。
　
　そして、上記引用発明に上記常套技術を考慮することにより、本願発明を構成することは、当業者が容易に想到し得ることであり、その作用効果も当業者が予測し得るものにすぎない。
　
６．請求人の主張について
（１）審判請求書における請求人の主張
　請求人は、審判請求書において以下のように主張している。
　
（ア）本願請求項１に係る発明は、上記のように、「読取られた画像データが白黒のみの画像データすなわち黒単色のモノクロ画像データであるか、白黒以外のカラーを含む画像データであるかを、ユーザーからの操作パネルによる手動設定に基づき判別する画像判別回路」を備えており、この画像判別回路は、図７のカラー／白黒判別部３１２に相当しています。従って、段落[００４４]に示されるように、操作部２０３からのマニュアル設定の結果を、カラー／白黒判定回路２０１による自動判定の結果に優先させることが可能となります。
　
（イ）図１および段落[００５１]〜[００５３]に示されるように、本願においては、読取られた画像データが白黒以外のカラーを含む画像データであると判別された場合（Ｓ１０２でＹＥＳ）であっても、ユーザーの選択により、モノクロ画像として処理を行うことが可能です（Ｓ１０３でＮＯ）。
　
（ウ）一般的に、画像データがカラーを含んでいても、例えば含まれるカラー量が微量である場合等には、モノクロ画像として処理を行っても実用上は問題がない場合が多く、このような場合にはコスト低減のためにモノクロ画像として処理を行いたいことがあります。
　また、自動判定には判定誤りが一定の割合で発生するため、判定誤りを避けるために、自動判定を行わずマニュアル設定を優先させて処理を行いたいことがあります。
　本願請求項１に係る発明によれば、このように、必ずしも自動判定の結果を利用することが適切とは限らない場合に、自動判定の結果を利用せずに処理を行うことが可能となります。
　
（エ）すなわち、引用文献１〜２のいずれにおいても、読取られた画像データがモノクロ画像データであるか、白黒以外のカラーを含む画像データであるかを、ユーザーからの操作パネルによる手動設定に基づき判別する技術については、全く開示されておりません。
　
（オ）また、自動判定よりマニュアル設定を優先させることに関する開示や示唆もなされておりません。
　
（カ）従って、上述したような、自動判定よりマニュアル設定を優先させることによりコストを低減させたり判定誤りを避けたりするという効果は、引用文献１〜２を組み合わせたとしてももたらされるものではなく、本願請求項１に係る発明によってこそ得られるものであり、本願請求項１に係る発明の進歩性を推認するのに十分なものであると思料致します。
　
（２）請求人の主張に対する検討
　上記請求人の各主張に対して検討する。
　
（ア）上記６．（１）（ア）、（ウ）、（オ）及び（カ）において、マニュアル設定を「自動判定」より優先させること（上記６．（１）（ア）、（オ）及び（カ））及び必ずしも「自動判定」の結果を利用することが適切とは限らない場合に、「自動判定」の結果を利用せずに処理を行うこと（上記６．（１）（ウ））が引用文献１〜２に記載されておらず、これによってコストを低減させたり判定誤りを避けたりする効果が得られる（上記６．（１）（カ））旨主張しているが、本願の請求項１には、「自動判定」に関して全く記載されておらず、本願発明に関して「自動判定」を使用して主張することは、本願の請求項１の記載に基づく主張ではなく、採用することはできない。
　なお、上記のように請求人の主張を採用することはできないが、請求人が主張するようなマニュアル設定を「自動判定」より優先することは、引用発明において、像域分離回路（２１３）における判定より操作者がＴＰＤ（タッチ・パネル・ディスプレイ）（２２６）の表示部分「ブラック」や「２色カラー」を押下することによって制御される設定が優先されており、像域分離回路（２１３）における判定が「自動判定」に相当し、ＴＰＤ（タッチ・パネル・ディスプレイ）（２２６）の表示部分「ブラック」や「２色カラー」を押下することが「マニュアル設定」に相当することから、引用発明に記載されているか又は記載されているに等しい自明な事項である。また、本願の段落【００５３】及び【００５４】に記載されているように、出力データ中にカラー情報が含むと判断された時には、ユーザーに出力モードの選択、即ち、出力方法のユーザーへの問い合わせを行い、このような問合わせに応じて、ユーザーは、白黒モードでの出力或いはカラーモードでの出力を選択し、選択したモードに応じて、白黒での画像出力或いはカラーでの画像出力が行われるようにすることでマニュアル設定を「自動判定」より優先することは、例えば、特開平４−２５０７７６号公報（段落【００２９】及び【００３０】参照）等に記載されているように周知技術である。
　
（イ）上記６．（１）（イ）における主張は、引用発明においても、ＴＰＤ（タッチ・パネル・ディスプレイ）（２２６）の表示部分「ブラック」を押下した場合には、読取られた画像データが白黒以外のカラーを含む画像データであると判別された場合であっても、モノクロ画像として処理を行うことが可能であるから、本願発明に特有の事項に基づく主張ではなく、採用することはできない。
　
（ウ）上記６．（１）（オ）における主張は、上記４．で検討したように、引用発明には、読取られた画像データがモノクロ画像データであるか、白黒以外のカラーを含む画像データであるかを、ユーザーからの操作パネルによる手動設定に基づき判別する技術が開示されているから、採用することはできない。
　
　よって、上記請求人の各主張は、すべて採用することができない主張である。
　
７．むすび
　以上のとおり、本願の請求項１に係る発明は、特許法第２９条第２項の規定により特許を受けることができないものである。
　したがって、その余の請求項について論及するまでもなく、本願は、拒絶すべきものである。
　よって、結論のとおり審決する。